(57)【要約】【課題】  良好な発光状態を得られる画像表示装置を実現する。【解決手段】  各画素が電子放出素子と該電子放出素子からの電子によって発光する発光領域とを有する複数の画素と、前記電子放出素子を駆動する駆動信号を出力する駆動回路と、を有し、前記複数の画素は、互いに異なる色で発光する発光領域をそれぞれが有する複数の画素を含んでおり、前記駆動回路は、入力信号を補正する回路を有しており、所定の電子放出素子に対応する前記入力信号に対する前記補正は、該所定の電子放出素子に近接する電子放出素子である近接電子放出素子が放出する電子の量に対応する値を該近接電子放出素子が属する画素が有する発光領域の発光色に応じた値で調整した値に基づいて行われる。【選択図】  図１
2006171502.tif 000002
【特許請求の範囲】
【請求項１】
各画素が電子放出素子と該電子放出素子からの電子によって発光する発光領域とを有する複数の画素と、
前記電子放出素子を駆動する駆動信号を出力する駆動回路と、を有し、
前記複数の画素は、互いに異なる色で発光する発光領域をそれぞれが有する複数の画素を含んでおり、
前記駆動回路は、入力信号を補正する回路を有しており、所定の電子放出素子に対応する前記入力信号に対する前記補正は、該所定の電子放出素子に近接する電子放出素子である近接電子放出素子が放出する電子の量に対応する値を該近接電子放出素子が属する画素が有する発光領域の発光色に応じた値で調整した値に基づいて行われる画像表示装置。
【請求項２】
前記所定の電子放出素子に対応する前記入力信号に対する前記補正は、該所定の電子放出素子に近接する複数の電子放出素子である複数の近接電子放出素子のそれぞれが放出する電子の量に対応する値のそれぞれを、該複数の近接電子放出素子のそれぞれが属する画素が有する発光領域のそれぞれの発光色に応じた値で調整した値に基づいて行われる請求項１に記載の画像表示装置。
【請求項３】
前記所定の電子放出素子に対応する前記入力信号に対する前記補正は、前記調整した値に基づいて補正された入力信号によって得られる発光量が、該補正を行わなかった場合に比べて小さくなる補正である請求項１又は２に記載の画像表示装置。
【請求項４】
前記電子放出素子からの電子の放出に起因して、該電子放出素子が対応する発光領域以外の発光領域に電子が入射するのを抑制する遮蔽部材を有しており、
前記遮蔽部材に近接する所定の電子放出素子に対応する前記入力信号に対する前記補正は、
該所定の電子放出素子に近接する電子放出素子である近接電子放出素子であって、その近接電子放出素子からの電子の放出に起因した電子が前記所定の電子放出素子に対応する発光領域に入射するのが前記遮蔽部材によって抑制される近接電子放出素子、が放出する電子の量に対応する値を、該近接電子放出素子が属する画素が有する発光領域の発光色に応じた値で調整した値に基づいて行われる請求項１に記載の画像表示装置。
【請求項５】
前記所定の電子放出素子に対応する前記入力信号に対する前記補正は、
該所定の電子放出素子に近接する複数の電子放出素子である複数の近接電子放出素子であって、該各近接電子放出素子からの電子の放出に起因した電子が前記所定の電子放出素子に対応する発光領域に入射するのが前記遮蔽部材によって抑制される近接電子放出素子、のそれぞれが放出する電子の量に対応する値のそれぞれを、該複数の近接電子放出素子のそれぞれが属する画素が有する発光領域のそれぞれの発光色に応じた値で調整した値に基づいて行われる請求項４に記載の画像表示装置。
【請求項６】
前記所定の電子放出素子に対応する前記入力信号に対する前記補正は、前記調整した値に基づいて補正された入力信号によって得られる発光量が、該補正を行わなかった場合に比べて大きくなる補正である請求項４又は５に記載の画像表示装置。
【請求項７】
前記遮蔽部材に近接する所定の電子放出素子に対応する前記入力信号に対する前記補正は、
更に、
該所定の電子放出素子に近接する電子放出素子である近接電子放出素子であって、その近接電子放出素子からの電子の放出に起因した電子が前記所定の電子放出素子に対応する発光領域に入射するのが前記遮蔽部材によって抑制されない近接電子放出素子であって、
その近接電子放出素子から放出された電子が前記遮蔽部材に入射することに起因する電子が前記所定の電子放出素子に対応する発光領域に入射する近接電子放出素子、が放出する電子の量に対応する値を、該近接電子放出素子が属する画素が有する発光領域の発光色に応じた値で調整した値に基づいて行われる補正を含む請求項４乃至６のいずれかに記載の画像表示装置。
【請求項８】
該所定の電子放出素子に近接する電子放出素子である近接電子放出素子であって、その近接電子放出素子からの電子の放出に起因した電子が前記所定の電子放出素子に対応する発光領域に入射するのが前記遮蔽部材によって抑制されない近接電子放出素子であって、その近接電子放出素子から放出された電子が前記遮蔽部材に入射することに起因する電子が前記所定の電子放出素子に対応する発光領域に入射する近接電子放出素子、が放出する電子の量に対応する値を、該近接電子放出素子が属する画素が有する発光領域の発光色に応じた値で調整した値に基づいて行われる前記補正は、前記調整した値に基づいて補正された入力信号によって得られる発光量が、該補正を行わなかった場合に比べて小さくなる補正である請求項７に記載の画像表示装置。
【請求項９】
テレビジョン装置であって、
テレビジョン信号を受信する受信回路と、
該受信回路で受信した信号に基づく表示を行う請求項１乃至８のいずれかに記載の画像表示装置と、
を有するテレビジョン装置。
【発明の詳細な説明】
【技術分野】
【０００１】
本発明は、画像表示装置に関する。
【背景技術】
【０００２】
従来、画像表示装置としては、電子放出素子を用いたものが知られている。
【０００３】
例えば、コーン型の電極とそれに近接したゲート電極とを有するいわゆるスピント型の電子放出素子を用いる構成や、電子放出素子として表面伝導型放出素子を用いる構成や、カーボンナノチューブを電子放出素子として用いる構成などが知られている。
【０００４】
電子放出素子を用いた画像表示装置の例としては、特許文献１、特許文献２に開示されたものを挙げることができる。
【０００５】
なお、電子放出素子と、該電子放出素子と間隔を空けて配置される発光体とを用い、電子放出素子から放出される電子を前記発光体に照射して前記発光体を発光せしめる画像表示装置以外に、プラズマディスプレイが知られている。該プラズマディスプレイの構成は、例えば、特許文献３に開示されている。
【０００６】
また特許文献４には、スペーサの帯電により冷陰極素子から放出された電子の軌道がスペーサに近づく方向に曲げられること、及び電子が蛍光体上の正規の位置とは異なる位置に衝突することにより画像の歪みが発生する場合があること、及び素子より発射された電子がスペーサに衝突することによりスペーサ近傍の画像の輝度が低下する場合があることが開示されている。また輝点間の間隔が不均一である構成において、輝点の光量の補正を行うことで視覚上の輝度むらを減少させる構成が開示されている。
【特許文献１】特開平１１−２５０８４０号公報
【特許文献２】特開平１１−２５０８３９号公報
【特許文献３】特開平１１−２４６２９号公報
【特許文献４】特開２００３−２９６９７号公報
【発明の開示】
【発明が解決しようとする課題】
【０００７】
画像表示装置においては、より好ましい画像表示を実現できる構成が望まれている。より好ましい画像表示とは具体的には例えばむらの少ない画像表示である。
【０００８】
更に具体的な例を挙げると、本発明者は、電子放出素子と、該電子放出素子と間隔を空けて配置される発光体とを用い、電子放出素子から放出される電子を前記発光体に照射して前記発光体を発光せしめる画像表示装置において特有の課題が生じることを見出した。本発明者が、複数の電子放出素子を配置した電子源と、それぞれ異なる色の発光色を有する蛍光体とを対向させて画像表示を行う実験を繰り返したところ、色再現性が所望の状態とは異なることを見出した。具体的な例を挙げると、青と赤と緑の発光色をそれぞれ有する蛍光体を用い、青の蛍光体にのみ電子を照射して青色の発光を得ようとした場合に、純粋な青ではなく、わずかに他の色すなわち、緑と赤の発光が混ざった発光状態、すなわち、彩度が良くない発光状態になることがわかった。
【０００９】
本発明の目的は、好ましい画像表示を実現することである。
【課題を解決するための手段】
【００１０】
本発明の一つは以下のように構成される。すなわち、
各画素が電子放出素子と該電子放出素子からの電子によって発光する発光領域とを有する複数の画素と、
前記電子放出素子を駆動する駆動信号を出力する駆動回路と、を有し、
前記複数の画素は、互いに異なる色で発光する発光領域をそれぞれが有する複数の画素を含んでおり、
前記駆動回路は、入力信号を補正する回路を有しており、所定の電子放出素子に対応する前記入力信号に対する前記補正は、該所定の電子放出素子に近接する電子放出素子である近接電子放出素子が放出する電子の量に対応する値を該近接電子放出素子が属する画素が有する発光領域の発光色に応じた値で調整した値に基づいて行われる画像表示装置である。
【００１１】
更に具体的には、所定の電子放出素子が属する画素の発光量における、近接電子放出素子が放出する電子による寄与分を補償するように補正を行う構成を好適に採用することができる。
【００１２】
所定の電子放出素子が属する画素の発光量における、近接電子放出素子が放出する電子による寄与分は、所定の電子放出素子が属する画素の発光量を増やすものであり、この増分を補償できるように入力信号を小さくする補正を好適に採用することができる。なお、この場合、後述するスペーサのように近接電子放出素子からの電子の放出に起因する電子が所定の電子放出素子に対応する発光領域に入射するのを抑制する遮蔽部材が存在する場合、該遮蔽部材による入射抑制の効果によって、近接電子放出素子が放出する電子による所定の電子放出素子が属する画素の発光量の増加が、遮蔽部材がない場合に比べて抑制されるので、前記増分として該抑制の効果を受けない近接電子放出素子からの電子の放出に起因する発光量の増分を補償できるように入力信号を小さくする補正を好適に採用することができる。また、遮蔽部材によって反射された反射電子や、遮蔽部材に入射する電子による二次電子として、遮蔽部材から前記電子放出素子が対応する発光領域に入射する電子によって、所定の電子放出素子が属する画素の発光量が増えることを更に反映させた増分を補償できるように補正を行ってもよい。
【００１３】
なお、前記所定の電子放出素子に対応する前記入力信号に対する前記補正は、該所定の電子放出素子に近接する複数の電子放出素子である複数の近接電子放出素子のそれぞれが放出する電子の量に対応する値のそれぞれを、該複数の近接電子放出素子のそれぞれが属する画素が有する発光領域のそれぞれの発光色に応じた値で調整した値に基づいて行われる構成を好適に採用できる。
【００１４】
複数の近接電子放出素子のうち、同じ発光色に対応する複数の近接電子放出素子のそれぞれが放出する電子の量に対応する値に対する調整が同じ調整（同じ調整係数をかける場合など）でよい場合には、これら複数の近接電子放出素子のそれぞれが放出する電子の量に対応する値の和に対して同じ調整を行った値を用いることもできる。この調整を各色に対応して行い、それらの結果の和をとった値を補正のための補正値として用いる構成を好適に採用できる。
【００１５】
また、前記電子放出素子からの電子の放出に起因して、該電子放出素子が対応する発光領域以外の発光領域に電子が入射するのを抑制する遮蔽部材を有している構成において、前記遮蔽部材に近接する所定の電子放出素子に対応する前記入力信号に対する前記補正は、
該所定の電子放出素子に近接する電子放出素子である近接電子放出素子であって、その近接電子放出素子からの電子の放出に起因した電子が前記所定の電子放出素子に対応する発光領域に入射するのが前記遮蔽部材によって抑制される近接電子放出素子、が放出する
電子の量に対応する値を、該近接電子放出素子が属する画素が有する発光領域の発光色に応じた値で調整した値に基づいて行われる構成を好適に採用することができる。
【００１６】
この構成においては、遮蔽部材が存在することによって、所定の電子放出素子に対応する発光領域の発光量の増加が抑制される分を補償するように、入力信号の値を大きくする補正を好適に採用することができる。
【００１７】
また前記所定の電子放出素子に対応する前記入力信号に対する前記補正は、
該所定の電子放出素子に近接する複数の電子放出素子である複数の近接電子放出素子であって、該各近接電子放出素子からの電子の放出に起因した電子が前記所定の電子放出素子に対応する発光領域に入射するのが前記遮蔽部材によって抑制される近接電子放出素子、のそれぞれが放出する電子の量に対応する値のそれぞれを、該複数の近接電子放出素子のそれぞれが属する画素が有する発光領域のそれぞれの発光色に応じた値で調整した値に基づいて行われる構成を好適に採用できる。
【００１８】
特に前記遮蔽部材に近接する所定の電子放出素子に対応する前記入力信号に対する前記補正は、
更に、
該所定の電子放出素子に近接する電子放出素子である近接電子放出素子であって、その近接電子放出素子からの電子の放出に起因した電子が前記所定の電子放出素子に対応する発光領域に入射するのが前記遮蔽部材によって抑制されない近接電子放出素子であって、その近接電子放出素子から放出された電子が前記遮蔽部材に入射することに起因する電子（遮蔽部材における反射電子や遮蔽部材に電子が入射することで遮蔽部材から出力される二次電子など）が前記所定の電子放出素子に対応する発光領域に入射する近接電子放出素子、が放出する電子の量に対応する値を、該近接電子放出素子が属する画素が有する発光領域の発光色に応じた値で調整した値に基づいて行われる補正を含む構成を好適に採用できる。また該所定の電子放出素子に近接する電子放出素子である近接電子放出素子であって、その近接電子放出素子からの電子の放出に起因した電子が前記所定の電子放出素子に対応する発光領域に入射するのが前記遮蔽部材によって抑制されない近接電子放出素子であって、その近接電子放出素子から放出された電子が前記遮蔽部材に入射することに起因する電子が前記所定の電子放出素子に対応する発光領域に入射する近接電子放出素子、が放出する電子の量に対応する値を、該近接電子放出素子が属する画素が有する発光領域の発光色に応じた値で調整した値に基づいて行われる前記補正は、前記調整した値に基づいて補正された入力信号によって得られる発光量が、該補正を行わなかった場合に比べて小さくなる補正である構成を好適に採用できる。
【００１９】
なお、本発明はテレビジョン装置の発明を含んでおり、具体的には、テレビジョン信号を受信する受信回路と、該受信回路で受信した信号に基づく表示を行う上記及び下記の画像表示装置と、を有するテレビジョン装置を開示している。
【００２０】
なおここで、発光領域を有する発光体としては蛍光体を用いることが出来る。所定の電子放出素子に近接する電子放出素子が放出する電子に起因する前記所定の電子放出素子に対応する発光領域の発光量の増加としては該近接する電子放出素子が放出する電子が反射されて該所定の電子放出素子に対応する発光領域に入射することで生じる発光量の増加であったり、該近接する電子放出素子が放出する電子によって発生した２次電子が該所定の電子放出素子に対応する発光領域に入射することで生じる発光量の増加であったりする。
【発明の効果】
【００２１】
本発明によると、良好な画像表示が実現できるという効果が得られる。
【発明を実施するための最良の形態】
【００２２】
本発明者は研究を重ね、電子放出素子を用いた従来の画像表示装置において見られる彩度の低下は、電子放出素子が放出する電子が、該電子放出素子が対応する発光領域のみでなく、近接（隣接も含む）する異なる色の発光領域に入射することによって生じていることを確認し、鋭意努力の末、その問題を改善できる新規な画像表示装置の構成及び駆動信号の補正方法を見出した。
【００２３】
以下では本発明の画像表示装置及び駆動信号の補正方法の具体的な例を説明する。
【００２４】
以下の実施形態では説明を簡単にするため、画像表示装置に入力する画像データと表示輝度が線形であるような画像表示装置を前提として説明するが、本発明の適用範囲はこれに限定されないことは明らかである。
【００２５】
以下では、所定の発光領域と、該所定の発光領域に近接する発光領域が存在する構成において、前記所定の発光領域に対応する電子放出素子からの該所定の発光領域への電子放出に伴って生じる、該所定の発光領域に近接する発光領域の発光をハレーションともいう。
【００２６】
（第１の実施形態）
本発明の第１の実施形態として、ハレーションによる画質低下を軽減するために用いるフィルタ及びそれによるフィルタ処理について説明する。
【００２７】
本実施形態の画像表示装置は、複数の画素によって画面を構成するものである。各画素は、複数の異なる色、特には、赤（Ｒ）、緑（Ｇ）、青（Ｂ）のいずれかを発光色として有する発光領域をそれぞれ有している。これら発光領域を構成する発光体としては電子の照射により光を発する蛍光体を用いている。赤の発光領域を有する画素と、緑の発光領域を有する画素と、青の発光領域を有する画素を組み合わせて、各色の発光量を調整することで視覚上の中間色表示を実現している。各画素は各画素が有する発光領域に電子を照射する電子放出素子を有している。特にここでは好適な電子放出素子として表面伝導型放出素子を用いている。
【００２８】
図１０は以降説明する実施形態の画像表示装置の表示部の構成を示す図である。
【００２９】
図１１は以降説明する実施形態の画像表示装置の構成を示す図である。この画像表示装置は表示部１７０１と駆動回路１７０２を有している。表示部１７０１は図１０に示した構成である。駆動回路１７０２は変調信号出力回路１７０４と走査信号出力回路１７０５と信号処理回路１７０３を有している。変調信号出力回路１７０４は表示部１７０１に変調信号を供給する。走査信号出力回路１７０５は表示部１７０１に走査信号を供給する。信号処理回路１７０３は入力線１７０６を介して入力される外部信号（コンピュータからの信号等）や信号処理回路１７０３が有するアンテナで受信した放送信号などを処理して、階調信号やタイミング信号を発生させ、それらを変調信号出力回路１７０４や走査信号出力回路１７０５に供給する。信号処理回路１７０３は補正回路１７０７を有しており、補正回路１７０７が以降説明する補正処理を行う。
【００３０】
図１０に示す表示部は電子放出素子と発光体とを有している。電子放出素子としては、例えばエミッタコーンとゲート電極とを組み合わせたスピント型の電子放出素子や、カーボンナノチューブやグラファイトナノファイバーといった炭素繊維を用いた電子放出素子や、ＭＩＭ型の電子放出素子など種々の電子放出素子を用いることができる。ここで示す実施形態では特に好適な電子放出素子として表面伝導型放出素子４００４を用いている。またここでは、複数の表面伝導型放出素子４００４を複数の走査信号印加配線４００２と
複数の変調信号印加配線４００３にてマトリックス接続した構成を採用している。複数の走査信号印加配線４００２には走査信号出力回路１７０５が出力する走査信号が順次に印加される。また複数の変調信号印加配線４００３には変調信号出力回路１７０４が出力する変調信号がそれぞれ印加される。電子放出素子とそれがマトリックス接続される走査信号印加配線と変調信号印加配線とは基板となるガラス板４００５上に設けられている。
【００３１】
またここで示す実施形態では、発光体として蛍光体４００８を用いている。蛍光体４００８は基板となるガラス板４００６上に設けられている。ガラス板４００６上には、電子放出素子が放出する電子を加速するための加速電極となるメタルバック４００９が設けられている。メタルバック４００９には高圧端子４０１１を介して電源４０１０から加速電位が供給される。ガラス板４００５とガラス板４００６の間に外枠となるガラス枠４００７が位置し、ガラス板４００５とガラス枠４００７間、及びガラス板４００６とガラス枠４００７間はそれぞれ気密に封止され、ガラス板４００５とガラス板４００６とガラス枠４００７によって気密容器が構成されている。該気密容器の内部は真空に保たれている。この気密容器内にはスペーサ４０１２が配されており、それによって気密容器の内部と外部の圧力差によって気密容器がつぶれるのが防がれている。
【００３２】
この構成の表示部においては、各電子放出素子それぞれに略対向する位置が各電子放出素子それぞれに対応する発光領域となっている。
【００３３】
図１は本実施形態に係る補正回路の構成を示す回路図である。図中の２０は近傍データ積算部（積算回路）、６はＲＧＢ加算部（加算回路；補正値算出回路）、７Ｒ、７Ｇ、７Ｂはそれぞれ赤、緑、青に対応する調整係数を用いた演算を行う係数演算部、８、９、１０は加算器（駆動信号生成回路）、１１は比較器である。近傍データ積算部２０は、ＲＧＢ用として同構成の回路が３つある。
【００３４】
サンプリングされたデジタルＲＧＢデータＲ１、Ｇ１、Ｂ１は、入力信号としてまず近傍データ積算部２０に入力される。このＲＧＢデータは輝度と線形であるようなデータとする。もし、ＲＧＢデータが輝度に対し非線形であれば、テーブル等で線形になるように変換すればよい。
【００３５】
図２は図１の近傍データ積算部２０の詳細図である。図中の１は一水平同期期間（１Ｈ）遅延回路、２は一画素（１Ｐ）遅延回路、３は係数をデータにかける乗算器、４はデータを水平方向に積算する水平加算器、５は水平方向に積算されたデータを垂直方向に積算する垂直加算器である。
【００３６】
図２を使って近傍データ積算部２０の処理を説明する。サンプリングされたデジタルＲＧＢ信号Ｒ１、Ｇ１、Ｂ１は近傍データ積算部２０に入力される。近傍データ積算部２０はＲＧＢによらず全く同じ構成であるため、ここではＲを例にとって説明する。
【００３７】
まず、１Ｈ遅延回路１について説明する。近傍データ積算部２０に入力されたデータＲ１は１Ｈ遅延回路１により１Ｈ分遅延される。Ｒ１を１Ｈ遅延した信号をＲ２、さらに１Ｈ遅延した信号をＲ３、さらに１Ｈ遅延した信号をＲ４、さらに１Ｈ遅延した信号をＲ５、さらに１Ｈ遅延した信号をＲ６、さらに１Ｈ遅延した信号をＲ７とする。
【００３８】
通常画像データは画面上の行データから入力されるため、常に信号Ｒ２はＲ１の一行上のデータとなる。同様に、Ｒ３はＲ２の一行上、Ｒ４はＲ３の一行上、Ｒ５はＲ４の一行上、Ｒ６はＲ５の一行上、Ｒ７はＲ６の一行上のデータである。
【００３９】
次に、１Ｐ遅延回路２について説明する。１Ｐ遅延回路２はデータを水平方向に一画素
分遅延する回路である。例えば、信号Ｒ８は信号Ｒ７を一画素遅延した信号となる。通常画像データは画面左のデータから入力されるため、常に信号Ｒ８は信号Ｒ７の左の画素データである。同様に、Ｒ９はＲ８の左、Ｒ１０はＲ９の左、Ｒ１１はＲ１０の左、Ｒ１２はＲ１１の左、Ｒ１３はＲ１２の左の画素データである。ここでは１Ｐ遅延回路を近傍データ積算部２０の最上行２１で説明したが、近傍データ積算部２０内のどの行においても１Ｐ遅延回路２は同様な処理を行う。
【００４０】
近傍データ積算部２０の上下左右の中央（以下、注目画素と呼ぶ）のデータ（以下、注目画素データと呼ぶ）をＲ１４とする。注目画素データＲ１４はＲ４のデータを三画素分水平に遅延させたデータである。つまり、注目画素データＲ１４はデータＲ４の表示画素から左に３画素移動した画素に表示されるデータである。同様に、注目画素データＲ１４はデータＲ１０の表示画素から下に３画素移動した画素に表示されるデータである。
【００４１】
注目画素データＲ１４に注目すると近傍データ積算部２０内のデータは、注目画素を中心に縦横７画素の矩形内のデータである。例えば、Ｒ１０はＲ１４の３画素上のデータ、Ｒ４はＲ１４の３画素右のデータ、Ｒ７はＲ１４の３画素上かつ、３画素右のデータである。つまり、近傍データ積算部２０は注目画素データを中心に、縦横７画素分のデータを処理することができる。これは一般的に７タップフィルタと呼ばれるものである。
【００４２】
前記のフィルタタップ数（本実施形態では７）はハレーションの及ぶ範囲によって決定される。本実施形態においては、ある蛍光体に電子が照射されるとその画素を中心にハレーションによる円形発光が起こる。考慮すべきハレーションの及ぶ円形領域の直径がｎ画素であれば、ｎタップのフィルタが必要になる。
【００４３】
本実施形態ではｎ＝７としたが、例えば、考慮すべきハレーションの及ぶ範囲が注目画素に隣接する上下左右の画素のみであれば、ｎ＝３のフィルタを用いればよい。
【００４４】
前記ハレーションの及ぶ領域の直径は、蛍光体が配置されているフェースプレート（ガラス板４００６）と電子源が配置されているリアプレート（ガラス板４００５）との間隔に依存する。したがって、フェースプレートとリアプレートの間隔に応じて、フィルタタップ数を決めることが出来る。
【００４５】
次に、乗算器３について説明する。図３は乗算器３の構成を表す図である。乗算器３は２つの入力５０、５１を乗算した結果を出力するものである。本実施形態においては、５０はデータであり、５１は乗算する係数である。例えば、データ５０が図２のＲ１３である場合、係数５１はａ１１である。本来乗算器は図３のような構成であるが、図２では簡略化して乗算器３の中に係数を示している。
【００４６】
図２に示すように、データＲ１２には係数ａ２１を、データＲ１１には係数ａ３１を、データＲ１０には係数ａ４１を、データＲ９には係数ａ５１を、データＲ８には係数ａ６１を、データＲ７には係数ａ７１を乗算するような構成となっている。ここでは、乗算器３の処理を近傍データ積算部２０の最上行２１で説明したが、近傍データ積算部内のどの行においても乗算器３は同様な処理を行う。
【００４７】
水平加算器４は一行分のデータを加算するものである。本実施形態では、水平加算器４は１行当り６個ある。この水平加算器４が７行分あるため、近傍データ積算部２０内では全部で６×７＝４２個の水平加算器４が必要である。水平加算器４に入力されるデータは、前記乗算器３の出力である。乗算器３から出力されたデータを一行分加算するのが水平加算器４である。
【００４８】
近傍データ積算部２０の最上行２１を例に上記の乗算器３、水平加算器４の処理を式で書くと以下のようになる。
【００４９】
【数１】
2006171502.tif 000003
【００５０】
上記は近傍データ積算部２０の最上行２１の処理であるが、近傍データ積算部２０内のどの行においても同様の処理を行っている。係数ａ１１〜ａ７７の詳細は後述する。
【００５１】
このようにして水平方向に積算された近傍データは、垂直加算器５により垂直方向に加算される。水平加算器４により出力された各行の近傍データを図２のようにＲ１５〜Ｒ２１とすると、垂直加算器５の出力値Ｒ２２は以下の式により表される。
【００５２】
【数２】
2006171502.tif 000004
【００５３】
本実施形態ではＲ２２を近傍データ積算値と呼ぶ。近傍データ積算値Ｒ２２は注目画素Ｒ１４の近傍データに、係数ａ１１〜ａ７７の重みをかけて積算された値である。このように、近傍データ積算部２０は注目画素データＲ１４と、近傍データ積算値Ｒ２２の２つの信号を出力する。
【００５４】
以上が、近傍データ積算部２０の処理である。上記では、Ｒの処理例のみ説明したが、ＧＢにおいてもまったく同様な処理がなされる。Ｇにおいては、Ｇ１が入力され注目画素データＧ１４と近傍データ積算値Ｇ２２が出力される。Ｂにおいては、Ｂ１が入力され注目画素データＢ１４と近傍データ積算値Ｂ２２が出力される。
【００５５】
次に、近傍データ積算部２０後の処理について図１を用いて説明する。近傍データ積算部２０から出力された近傍データ積算値Ｒ２２、Ｇ２２、Ｂ２２は、それぞれ各色毎の調整係数（ｋＲ、ｋＧ、ｋＢ）が係数演算部７Ｒ、７Ｇ、７Ｂによってかけられる。
【００５６】
なお、係数演算部７Ｒ、７Ｇ、７Ｂでは、入力されたデータＲ２２、Ｇ２２、Ｂ２２のそれぞれに所定の係数をそれぞれ乗算する。この係数はハレーションの影響の程度を補正値に反映させるためのものであり、以下のようにして決定されるものである。
【００５７】
電子源からの電子照射による発光（ハレーションを含まない発光、以下輝点と呼ぶ）強度をＬ０、ハレーションによる発光強度をＬ１とする。係数演算部７（７Ｒ、７Ｇ、７Ｂ）で乗算するする係数ｋは以下の式より決定する。
【００５８】
【数３】
2006171502.tif 000005
【００５９】
ここで、ｋの値は実験により求めることが出来る。通常Ｌ０はＬ１より大きいため、ｋは０〜１の間の数値となる。特に本実施形態では、この係数ｋが色毎に異なることに着目
し、係数ｋを対応する色毎に求め、それらを調整係数ｋＲ、ｋＧ、ｋＢとして用いている。
【００６０】
具体的には、ここでは、
ｋＲ＝０．０１５、
ｋＧ＝０．０１２、
ｋＢ＝０．０１８
であった。これらは、ハレーション補正の対象とした近接電子放出素子の放出する電子の量に概略対応する値である入力信号（画像データ）の値に対して、その１．５パーセント、１．８パーセント、１．２パーセントが注目画素の発光量の増分となっていることを意味している。
【００６１】
なお、本実施形態において各係数演算部では各係数を入力信号に乗算した後、符号を反転して出力する。各係数演算部７Ｒ、７Ｇ、７Ｂの出力は、ＲＧＢ加算部６により加算される。したがって、ＲＧＢ加算部６の出力をＷ２２とするとＷ２２は次式により表される。
【００６２】
【数４】
2006171502.tif 000006
【００６３】
このＷ２２がそれぞれ注目画素データＲ１４、Ｇ１４、Ｂ１４に加算される補正値である。加算器８、９、１０のそれぞれの出力Ｒ２４、Ｇ２４、Ｂ２４は以下の式で表される。
【００６４】
【数５】
2006171502.tif 000007
【００６５】
比較器１１は入力されたデータと０を比較し、大きい方の値を出力する。したがって、比較器１１の出力データデータＲ２５、Ｇ２５、Ｂ２５は以下のようになる。
【００６６】
【数６】
2006171502.tif 000008
【００６７】
次に、近傍データ積算部２０の係数ａ１１〜ａ７７について説明する。
【００６８】
図４（ａ）は、ある色に対応する画素ｐ４４を注目画素とし、注目画素ｐ４４を中心に同じ色に対応する縦横７画素の配置を示したものである。ｐｎｍ（ｎ、ｍは１〜７）は画素を表す。あるタイミングのとき、画素ｐ１１〜ｐ７７のデータにかける係数がａ１１〜ａ７７であったとする。
【００６９】
本実施形態の画像表示装置は、輝点を中心に円形領域にハレーション発光が起こる構成である。図４（ａ）の実線６０は注目画素ｐ４４を点灯した際ハレーション発光が起こる領域である。本実施形態では係数ａ１１〜ａ７７を簡単にするため実線６０の円を、点線６１で近似する。つまり、注目画素ｐ４４が点灯した際、点線６１に囲まれた画素にハレーション発光が発生すると近似する。
【００７０】
注目画素ｐ４４を点灯した際ハレーション発光する画素が点線６１で囲まれた画素であるが、これは逆に点線６１で囲まれた画素を点灯するとその反射電子により注目画素ｐ４４がハレーション発光することを意味する。
【００７１】
本実施形態では、係数ａ１１〜ａ７７は０か１いずれかの値とする。注目画素にハレーション発光を起こしうる画素の係数は１、それ以外の係数は０である。注目画素にハレーション発光を起こしうる画素は、図４（ａ）の点線６１内の画素であるため、係数ａ１１〜ａ７７は図４（ｂ）に示すようになる。この図において、左上が係数ａ１１、右下が係数ａ７７、中央が注目画素の係数ａ４４を示している。
【００７２】
本実施形態では、注目画素にハレーション発光を起こし得る画素は、７ｘ７画素領域と仮定している。例えば、これが３ｘ３画素領域であれば、注目画素の上下左右の係数、すなわちａ４３、ａ３４、ａ４４、ａ５４、ａ４５が１となり、それ以外の係数は０とすればよい。また、注目画素の反射電子が注目画素に照射されることがないのであれば、ａ４４を０とすればよい。
【００７３】
係数ａ１１〜ａ７７を上記のように設定すると、図１の近傍データ積算値Ｒ２２、Ｇ２２、Ｂ２２は注目画素にハレーション発光を及ぼす画素のデータの色毎の積算値になる。ハレーションは主に反射電子による発光であるため、電子放出素子を用いた画像表示装置においてはＲＧＢの区別なく発生する。つまり、Ｒの反射電子はＧＢの注目画素をも発光させる。当然、ＧＢの反射電子も他の色の注目画素を発光させる。したがって、ここでは彩度低下を抑制するために他色のハレーションデータも注目画素データから差し引くことができるように構成している。
【００７４】
係数演算部７Ｒ、７Ｇ、７Ｂでは、注目画素にハレーション発光を及ぼす画素のデータの色毎の積算値に対して、実際にはレーションによって生じる発光量の増分を評価するための係数を色毎にかける回路である。ここで色毎の演算を行っているので、各色に対応する蛍光体ごとに照射電子に対する反射率が異なる構成に対応できている。
【００７５】
ＲＧＢ加算部６は、ＲＧＢそれぞれの係数演算部７Ｒ、７Ｇ、７Ｂの出力を積算する。これにより注目画素にハレーション発光を及ぼす各色の複数の近接電子放出素子に対応する画素データ積算値にたいして各色毎のハレーション発光増分を評価するための係数をかけた値の和Ｗ２２に負の符号をつけた値が求められる。
【００７６】
データＷ２２を注目画素データＲ１４、Ｇ１４、Ｂ１４から差し引いたデータＲ２４、Ｇ２４、Ｂ２４は、ハレーションによる発光分（ハレーションによる注目画素における発光量の増加分）を差し引いたデータである。
【００７７】
このとき、例えばＲ１４よりＷ２２が大きければＲ２４は負値となる。その場合は比較器１１により０として出力する。このようにして得られたデータＲ２５、Ｇ２５、Ｂ２５はハレーション発光分を差し引いた画像データである。このデータに基づいて画像表示装置を構成する電子放出素子を駆動すれば、画像データ上で差し引いたハレーション発光分が実際のハレーションにより付加され、所望の輝度、色度で発光する。すなわち、所定の
色の表示データを他の色の近傍データ値を考慮した値とすることによって、好適な色度での表示が実現できるのである。
【００７８】
ある画素に注目した場合のＲＧＢデータ値の一例を図５に示す。原データが図５（ａ）に示すようにＲ＝１０、Ｇ＝１５、Ｂ＝２５５であったとする。これは、ハレーションがない画像表示装置ならばほぼ青のように見えるデータである。
【００７９】
本実施形態の補正をせずに表示した場合、図５（ｂ）のように周辺画素からのハレーションが付加され表示される。
【００８０】
本実施形態の補正は図５（ｃ）のように上記ハレーションによる発光分を画像データから差し引いて表示するものである。上記の例で言うと、ハレーションによる発光分が画像データで８に相当するため、この分を画像データから差し引いて、Ｒ＝２、Ｇ＝７、Ｂ＝２４７のデータで電子放出素子を駆動して表示を行うことになる。これにより、表示時にはハレーション発光分が実際のハレーションにより付加され、ハレーションにより低下した彩度を原データと同じ彩度に補正し、原データと同じＲＧＢ輝度、彩度、色度で画像が表示される。
【００８１】
本実施形態では説明を簡単にするため、画像表示装置に入力する画像データと表示輝度が線形であるような表示装置を前提として説明した。画像データと表示輝度が非線形であるような表示装置においては、表示の際にテーブル等を用いて表示特性に合ったデータに変換した後に表示すればよい。
【００８２】
また、本実施形態では、自画素内でのハレーションのみならず、７ｘ７画素領域でのハレーションを考慮したが、注目する発光領域に対して、該発光領域に対応する電子放出素子以外のどの電子放出素子からの電子による注目発光領域の発光状態への影響を考慮するかは、適宜に決めることが出来、近傍データ積算部で用いるａ１１〜ａ７７をそれに合わせて設定することで、ハレーションを考慮する対象を選択することができる。
【００８３】
（第２の実施形態）
図１０に示した表示部はスペーサ４０１２を有している。このスペーサ４０１２は気密容器内外の圧力差によって気密容器がつぶれるのを防ぐためのものである。このスペーサ４０１２は、所定の電子放出素子が放出する電子に起因する電子（その電子放出素子が放出する電子の一部であって、直接他の電子放出素子が対応する発光領域に向かってしまう電子や、その電子放出素子が放出する電子が発光体（蛍光体）やその近傍の部材（蛍光体が配置される基板や加速電極であるメタルバック）で反射された後、他の電子放出素子が対応する発光領域に向かってしまう電子）を遮蔽して、その電子が他の電子放出素子に対応する発光領域に照射されるのを抑制する作用を生じさせる。ガラス基板４００５もしくはガラス基板４００６に設けられたリブなどもこの電子遮蔽の作用を生じさせる電子遮蔽部材となりうる。このような電子遮蔽部材が全ての電子放出素子に対応して一様な位置関係で配置されていれば電子遮蔽の作用も各電子放出素子に対して生じることとなるが、図１０に示すスペーサ４０１２のように、表示部内に電子遮蔽部材が不均一に配置されていると、電子遮蔽部材による各電子放出素子に対応する電子遮蔽の作用は不均一になる。例えば、スペーサ４０１２近傍にある電子放出素子が放出する電子に起因する電子は、該スペーサ４０１２に対してその電子放出素子と反対側にある電子放出素子が対応する発光領域にはスペーサ４０１２によって遮蔽されることで到達しない。このスペーサ４０１２による電子遮蔽の作用はスペーサ４０１２から充分にはなれて位置する電子放出素子に対しては生じない。従ってスペーサ４０１２による電子遮蔽の作用は非一様に生じることとなる。
【００８４】
本発明の第２の実施形態として、第１の実施形態の処理をスペーサ近傍のみ変更する例を示す。スペーサ近傍では反射電子がスペーサ（遮蔽部材）により遮られるためハレーション強度が軽減する。非スペーサ近傍と同様にスペーサ近傍にも第１の実施形態のようなフィルタをかけると、スペーサ近傍は過補正になってしまう。本実施形態では、スペーサ近傍は係数ａ１１〜ａ７７を変更することでこの問題を解決する。
【００８５】
本実施形態の回路は図１、図２と同じである。異なるのは、近傍データ積算部２０の係数ａ１１〜ａ７７の値が変動することである。
【００８６】
近傍データ積算部２０の７タップの画素を図６に示すように、ｐ１１〜ｐ７７とする。図２の係数ａ１１〜ａ７７はそれぞれ画素ｐ１１〜ｐ７７の画素データに乗算する係数である。
【００８７】
本実施形態ではスペーサはある画素行とその下の行の中央に配置されている板状の部材とする。
【００８８】
スペーサの上の画素行を上第一近接、その上の画素行を上第二近接、その上の画素行を上第三近接、…と呼ぶ。例えば、図６においてスペーサがＡの位置に存在する場合、上第一近接はｐ１７〜ｐ７７の行であり、上第二近接はｐ１６〜ｐ７６の行であり、上第三近接はｐ１５〜ｐ７５の行である。また、スペーサの下の画素行を下第一近接、その下の画素行を下第二近接、その下の画素行を下第三近接、…と呼ぶ。例えば、図６においてスペーサがＢの位置にある場合、ｐ１７〜ｐ７７の行が下第一近接である。
【００８９】
また、本実施形態では表示装置の垂直解像度は７６８本とし、スペーサは４０行おきに２０本配置されているものとする。
【００９０】
図６においてスペーサが図中のＡの位置に存在する場合、注目画素ｐ４４近傍の画素の電子放出素子が電子を放出することによって注目画素ｐ４４に照射される電子（この電子としては、注目画素近傍の画素の電子放出素子が放出した電子が反射して注目画素に照射されるものが主なものなので、単に反射電子とも言う）がスペーサにより遮られることはない。何故なら、注目画素ｐ４４に照射される反射電子が発生するのはｐ１７〜ｐ７７の行が下限であり、その下の行の反射電子はスペーサの有り無しに関係なく注目画素ｐ４４に照射されることはないからである。従って、スペーサがＡの位置に存在する場合、係数ａ１１〜ａ７７は第１の実施形態と同様に図４（ｂ）に示す値である。
【００９１】
図６においてスペーサがＢの位置に存在する場合、注目画素ｐ４４に照射される反射電子のうち、スペーサに対して注目画素ｐ４４と反対側に位置する画素の反射電子は、スペーサにより遮られる。ｐ１７〜ｐ３７、ｐ５７〜ｐ７７の反射電子はスペーサの有り無しに関係なく注目画素ｐ４４に照射されることはない。しかし、ｐ４７の反射電子がスペーサにより遮られる。
【００９２】
第１の実施形態で述べたように、近傍データ積算部２０は、注目画素にハレーション発光を及ぼす画素データの積算値を求めるものである。従って、スペーサにより反射電子が遮られハレーション発光を及ぼさない画素データは積算から除外しなければならない。これにより、スペーサが図６においてＢの位置に存在する場合、係数ａ４７は０となり、係数ａ１１〜ａ７７は図７（ａ）のようになる。
【００９３】
スペーサが図６でＣの位置に存在する場合、やはりスペーサにより注目画素に照射されるはずの反射電子が遮られる。この場合、スペーサに対し注目画素と反対側にある画素ｐ２６〜ｐ６６、ｐ４７の反射電子がスペーサにより遮られる。ｐ１６、ｐ７６、ｐ１７〜
ｐ３７、ｐ５７〜ｐ７７の反射電子はスペーサの有り無しに関係なく注目画素ｐ４４に照射されることはない。このとき係数ａ１１〜ａ７７は図７（ｂ）のようになる。
【００９４】
同様にスペーサが図６のＤの位置に存在するとき、係数ａ１１〜ａ７７は図７（ｃ）のようになる。
【００９５】
これまでは注目画素ｐ４４はスペーサの上側にあったが、スペーサがＥの位置にくると注目画素はスペーサの下側になる。この場合注目画素ｐ４４より下側の画素はスペーサにより反射電子が遮られることがなくなるため、ｐ４４より下側の係数ａ１４〜ａ７７は第１の実施形態と同じとなる。一方、注目画素ｐ４４より上側の画素の反射電子はスペーサに遮られるため、係数ａ１１〜ａ７３はすべて０となる。スペーサが位置Ｅの場合、係数ａ１１〜ａ７７は図７（ｄ）のようになる。
【００９６】
以下同様に、スペーサが図６のＦの位置にある場合、スペーサに対し注目画素と反対側の画素の係数ａ１１〜ａ７２は０、それ以外は第１の実施形態と同じ値になる。従って、スペーサがＦの位置にある場合、係数ａ１１〜ａ７７は図７（ｅ）のようになる。
【００９７】
同様に、スペーサがＧの位置にある場合、係数ａ１１〜ａ７７は図７（ｆ）のようになる。
【００９８】
スペーサがＨの位置にある場合、注目画素ｐ４４に照射される反射電子は再びスペーサに遮られることはなくなる。そのため、この場合の係数は第１の実施形態と同様に図４（ｂ）のようになる。
【００９９】
上記の係数の切換えは水平同期期間内のブランク期間に行われる。例えば、スペーサが図６のＡの位置に存在する場合、係数ａ１１〜ａ７７は図４（ｂ）の値がセットされている。このときｐ１７〜ｐ７７は上第一近接である。入力データＲ１、Ｇ１、Ｂ１はｐ７７の画素データであるから、入力データは上第一近接のデータということになる。
【０１００】
次に、スペーサが図６のＢの位置にある場合、ｐ１７〜ｐ７７は下第一近接であり、入力データＲ１、Ｇ１、Ｂ１は下第一近接のデータである。このとき係数ａ１１〜ａ７７は図７（ａ）の値がセットされている。つまり、入力データが上第一近接データから下第一近接データになる間のブランク期間に係数ａ１１〜ａ７７は図４（ｂ）から図７（ａ）に切り替わる。
【０１０１】
次に、スペーサが図６のＣの位置にある場合、ｐ１７〜ｐ７７は下第二近接である。つまり、入力データＲ１、Ｇ１、Ｂ１は下第二近接のデータである。このとき係数ａ１１〜ａ７７には図７（ｂ）の値がセットされている。入力データが下第一近接データから下第二近接データに変わるブランク期間に係数ａ１１〜ａ７７は図７（ａ）から（ｂ）に切り替わる。
【０１０２】
同様に、入力データが下第二近接データから下第三近接データに変わるブランク期間に係数ａ１１〜ａ７７は図７（ｂ）から（ｃ）に切り替わり、入力データが下第三近接から下第四近接に変わるブランク期間に係数ａ１１〜ａ７７は図７（ｃ）から（ｄ）に切り替わり、入力データが下第四近接から下第五近接に変わるブランク期間に係数ａ１１〜ａ７７は図７（ｄ）から（ｅ）に切り替わり、入力データが下第五近接から下第六近接に変わるブランク期間に係数ａ１１〜ａ７７は図７（ｅ）から（ｆ）に切り替わり、入力データが下第六近接から下第七近接に変わるブランク期間に係数ａ１１〜ａ７７は図７（ｆ）から図４（ｂ）に切り替わる。
【０１０３】
以上のようにすることで、近傍データ積算値Ｒ２２、Ｇ２２、Ｂ２２にはスペーサにより遮られた反射電子分のデータは含まれず、注目画素ｐ４４に照射された反射電子分のデータのみとなる。このデータに第１の実施形態と同様、係数演算部７Ｒ、７Ｇ、７Ｂで調整係数ｋＲ、ｋＧ、ｋＢをそれぞれかけ、ＲＧＢ加算部６で足し合わせＷ２２とし、注目画素データＲ１４、Ｇ１４、Ｂ１４から差し引く。
【０１０４】
これにより、スペーサにより遮られたハレーションを補正することなく、スペーサ近傍でも適切な補正をかけることができる。
【０１０５】
（第３の実施形態）
本発明の第３の実施形態として、スペーサ近傍画素データにはハレーション分のデータを付与する例を示す。スペーサ近傍では反射電子がスペーサにより遮られるため、非スペーサ近傍よりハレーション強度が軽減しスペーサの存在による輝度むら、色むらが発生する。本実施形態では、非スペーサ近傍では補正せず、スペーサ近傍において、非スペーサ近傍同様のハレーションが発生しているような輝度、色度にする補正を行う。
【０１０６】
本実施形態も第２の実施形態と同様に、スペーサはある画素行とその下の行の中央に配置されている板状の部材とする。また、第２の実施形態同様、表示装置の垂直解像度は７６８本とし、スペーサは４０行おきに２０本配置されているものとする。
【０１０７】
本実施形態の回路は図１、図２と同じである。第１の実施形態と異なるのは、近傍データ積算部２０の係数ａ１１〜ａ７７の値が変動することと、係数演算部７Ｒ、７Ｇ、７Ｂで出力時に符号を反転しないことである。第１の実施形態と同様の構成については同様の符号を用いて説明を省略する。
【０１０８】
まず、注目画素が非スペーサ近傍にある場合について説明する。図６でスペーサがＡあるいはＨ、あるいは注目画素ｐ４４から見てＡ、Ｈより外側に存在する場合を考える。これは言い換えると、注目画素ｐ４４が上第三近接から下第三近接の間にないことと等価である。この場合、注目画素ｐ４４に照射される反射電子がスペーサに遮られることはなく、スペーサの存在による輝度、色度むらは発生しない。
【０１０９】
本実施形態では、近傍データ積算部２０は、スペーサがなければ反射電子が注目画素に照射されてしまうが、スペーサがあることによって反射電子がスペーサで遮られる画素のデータ積算値を計算する。上記の場合、このような画素はないため係数ａ１１〜ａ７７は図８（ａ）のように全て０をセットする。図１の近傍データ積算部２０の出力データＲ２２、Ｇ２２、Ｂ２２はすべて０となり、これらのデータにハレーションによる発光量を評価するための係数をかけた値を加算するＲＧＢ加算部６の出力Ｗ２２も０となる。
【０１１０】
第１及び第２の実施形態では係数演算部７Ｒ、７Ｇ、７Ｂは調整係数ｋＲ、ｋＧ、ｋＢをそれぞれ乗算し符号を反転して出力していた。しかし、本実施形態の係数演算部７Ｒ、７Ｇ、７Ｂは、調整係数ｋＲ、ｋＧ、ｋＢを入力信号に乗算し符号を反転せずに出力する。但し上記の例の場合は、近傍データ積算部２０の出力が０であるため、係数演算部７Ｒ、７Ｇ、７Ｂの出力も０である。
【０１１１】
加算器８、９、１０の出力は、
【数７】
2006171502.tif 000009
であり、注目画素データＲ１４、Ｇ１４、Ｂ１４がそのまま出力される。比較器１１は数式８、９、１０の処理を行い、比較器１１の出力Ｒ２５、Ｇ２５、Ｂ２５はＲ１４、Ｇ１４、Ｂ１４と等しくなる。その結果、何も補正をかけない状態のデータが表示される。
【０１１２】
以上のように、注目画素が非スペーサ近傍にある場合、本実施形態では全く補正せず入力データをそのまま表示する。
【０１１３】
次に、注目画素がスペーサ近傍にある場合について説明する。図６でスペーサがＢの位置にある場合、注目画素ｐ４４に照射される反射電子のうち、スペーサに対して注目画素ｐ４４と反対側に位置する画素の反射電子は、スペーサにより遮られる。ｐ１７〜ｐ３７、ｐ５７〜ｐ７７の反射電子はスペーサの有り無しに関係なく注目画素ｐ４４に照射されることはない。しかし、ｐ４７の反射電子がスペーサにより遮られる。
【０１１４】
本実施形態の場合、近傍データ積算部２０は、スペーサがなければ注目画素に照射されてしまう反射電子を発生させる画素であり、スペーサがあることによって注目画素への該反射電子がスペーサで遮られる画素のデータ積算値を計算する。従って、スペーサが図６においてＢの位置に存在する場合、係数ａ４７は１、それ以外は０となり、係数ａ１１〜ａ７７は図８（ｂ）のようになる。
【０１１５】
係数ａ１１〜ａ７７が図８（ｂ）の場合、近傍データ積算部２０の出力Ｒ２２、Ｇ２２、Ｂ２２はｐ４７のＲＧＢ画素データと等しくなる。Ｒ２２、Ｇ２２、Ｂ２２からの出力に対してそれぞれ係数演算部７Ｒ、７Ｇ、７Ｂで色毎の係数をかけたものをＲＧＢ加算器６で加算しＷ２２とし、これを補正値とする。係数演算部７Ｒ、７Ｇ、７Ｂの和はスペーサで遮られることで注目画素ｐ４４に照射されなかったハレーション分のデータに相当する。このデータ、つまりスペーサがなければ注目画素に照射されていたハレーション分のデータＷ２２を、加算器８、９、１０で注目画素データＲ１４、Ｇ１４、Ｂ１４にそれぞれ加算する。
【０１１６】
本実施形態は、係数演算部７Ｒ、７Ｇ、７Ｂにおいて符号を反転しないため、加算器８、９、１０の出力は常に正である。従って、比較器１１はあってもなくても関係ない。つまり、常に、
【数８】
2006171502.tif 000010
が成り立つ。
【０１１７】
図６でスペーサがＣの位置にある場合、やはりスペーサにより注目画素に照射されるはずの反射電子が遮られる。この場合、スペーサに対し注目画素と反対側にある画素ｐ２６〜ｐ６６、ｐ４７の反射電子がスペーサにより遮られる。ｐ１６、ｐ７６、ｐ１７〜ｐ３７、ｐ５７〜ｐ７７の反射電子はスペーサの有り無しに関係なく注目画素ｐ４４に照射されることはない。本実施形態では、スペーサで反射電子が遮られる画素の係数が１となるため、係数ａ１１〜ａ７７は図８（ｃ）のようになる。
【０１１８】
このとき、加算器６の出力データはスペーサで遮られることで注目画素ｐ４４に照射されなかったハレーション分のデータに相当する。このデータは加算器８、９、１０で注目画素データＲ１４、Ｇ１４、Ｂ１４にそれぞれ加算される。
【０１１９】
同様に図６でスペーサがＤの位置にある場合、係数ａ１１〜ａ７７は図８（ｄ）のよう
になる。やはり、係数ａ１１〜ａ７７が１である画素は、スペーサにより反射電子が遮られる画素である。
【０１２０】
図６でスペーサがＥの位置にある場合、スペーサで反射電子が遮られる画素はスペーサの上側に移動する。この場合の係数ａ１１〜ａ７７は図８（ｅ）のようになる。同様に、スペーサがＦの位置にある場合、係数ａ１１〜ａ７７は図８（ｆ）のようになり、スペーサがＧの位置にある場合、係数ａ１１〜ａ７７は図８（ｇ）のようになる。
【０１２１】
上記の係数の切換えは水平同期期間内のブランク期間に行われる。この切換え動作は第２の実施形態と同じである。
【０１２２】
以上の処理により、スペーサに遮られたハレーション分のデータを画像データとして注目画素に付与することにより、スペーサ近傍の補正を行っている。これにより、スペーサ近傍と非スペーサ近傍での画質の差を低減することができる。
【０１２３】
（第４の実施形態）
第２の実施形態及び第３の実施形態においては、スペーサによる電子の遮蔽作用を考慮した補正を行った。一方、スペーサでは電子を反射したり、電子の入射による二次電子を放出したりする作用も生じうる。注目画素の電子放出素子に対応する発光領域に対して、その電子放出素子やその電子放出素子とスペーサに対して同じ側に位置する電子放出素子が放出する電子に由来する電子（電子放出素子から放出される電子が対応する発光領域で反射された電子、またはそれに加えて電子放出素子から放出されていずれにも衝突していない電子そのもの）がスペーサに入射し、スペーサによる反射もしくは二次電子の放出が生じ、注目画素の発光領域に入射することで注目画素の発光量を増やす作用が生じる。この作用は大きいものではないが、この作用を考慮した補正を更に行うことでより好適な補正を行うことができる。
【０１２４】
具体的には、図１の構成で用いた近傍データ積算部２０、係数演算部７Ｒ、７Ｇ、７Ｂ、加算器６と同じ構成の回路をスペーサによる発光量増加を評価するための回路として更に設ける。積算部では、電子を放出することで注目画素にスペーサによる反射電子（二次電子を含む）による影響を生じうる素子のデータを積算する。この積算値のそれぞれに対して図１の係数演算部と同じ回路によって、色毎の係数を演算する。ここで用いる係数は、各色毎の係数（第１乃至第３の実施形態で用いた係数ｋＲ、ｋＧ、ｋＢと同じ値でよい）とスペーサにおける反射の程度を示す係数（ここでは０．０１６６を採用）をかけたものであり、赤用には０．０００２５、緑用には０．０００２、青用には０．０００３を用いる。この係数をかけたものを加算器６で加算し、その値をスペーサによる反射によって注目画素の発光量が増加する分を補償するための補正値として用いる。具体的には注目画素のデータからこの補正値を引けばよい。なお、この補正は第２の実施形態や第３の実施形態における補正と合わせて行えばよい。
【０１２５】
以上説明した各実施形態によれば、良好な発光状態を得られる画像表示装置及び画像表示に使用する電子放出素子の駆動信号の補正方法を実現することができる。
【０１２６】
なお、図９は以上述べた画像表示装置を用いたテレビジョン装置の構成を示す図である。
【０１２７】
受信回路９０１ではアンテナから入力されたテレビジョン信号を受信し、テレビジョン放送を再生するための信号を生成して画像表示装置９０２に出力する。
【図面の簡単な説明】
【０１２８】
【図１】第１乃至第３の実施形態に係る回路ブロック図である。
【図２】近傍データ積算部の詳細図である。
【図３】加算器の詳細図である。
【図４】図４（ａ）は注目画素周辺の画素配置図であり、図４（ｂ）は係数ａ１１〜ａ７７の値を示す図である。
【図５】第１の実施形態の補正を説明する図である。
【図６】注目画素周辺の画素、スペーサ配置図である。
【図７】係数ａ１１〜ａ７７の値を示す図である。
【図８】係数ａ１１〜ａ７７の値を示す図である。
【図９】画像表示装置を用いたテレビジョン装置の構成を示す図である。
【図１０】実施形態で用いる表示部の構成を示す図である。
【図１１】画像表示装置の実施形態を示す図である。
【符号の説明】
【０１２９】
１  １Ｈ遅延回路
２  １Ｐ遅延回路
３  乗算器
４  水平加算器
５  垂直加算器
６  ＲＧＢ加算器
７Ｒ、７Ｇ、７Ｂ  係数演算部
８、９、１０  加算器
１１  比較器
２０  近傍データ積算部
５０  データ
５１  係数
６０  ハレーション領域
６１  近似したハレーション領域
【図１】
2006171502.tif 000011
【図２】
2006171502.tif 000012
【図３】
2006171502.tif 000013
【図４】
2006171502.tif 000014
【図５】
2006171502.tif 000015
【図６】
2006171502.tif 000016
【図７】
2006171502.tif 000017
【図８】
2006171502.tif 000018
【図９】
2006171502.tif 000019
【図１０】
2006171502.tif 000020
【図１１】
2006171502.tif 000021